(57)【特許請求の範囲】
【請求項１】
一枚の入場券で複数の会場が利用でき、各会場への入場者情報を各会場に設けた入場券リーダー・ライターに備えられたＩＣカードに記憶し、前記ＩＣカードを介して前記入場者情報を集計センターで読み込むことで管理・集計する入場者管理システムであって、前記入場券には、各会場に入場する毎にその入場の証拠として穿孔される位置が各会場毎に関連付けられて形成される穿孔部と、少なくとも入場者の属性を示す機械読み取りコードとを設け、前記入場券リーダー・ライターには、前記入場券への穿孔手段と、穿孔された入場券の穿孔の数及び穿孔の位置を検知する検知手段と、前記機械読み取りコードを読み取る機械コード読取手段と、検知手段により検知された穿孔部からの情報、前記機械コード読み取り手段により読み取られた機械読み取りコード、ならびに入場日時等の情報を前記ＩＣカードに記憶させる記憶手段とを設けることにより、集計センターにて各会場からのＩＣカードを読み込み、各ＩＣカードに記憶された入場者情報から各会場毎の入場者数及び入場順位を算出することにより各会場毎の人気度を判別可能としたこと、を特徴とする入場者管理システム。
【請求項２】
請求項１に記載の入場券処理装置では、入場券に該会場の穿孔位置に穿孔がない場合に前記入場券の予め定められた位置に穿孔する手段と、入場券の予め定められた位置に該会場の穿孔がある場合に警告する手段を有することを特徴とする入場券管理システム。
【発明の詳細な説明】
【０００１】
【発明の属する技術分野】
博覧会、各種イベント、テーマパーク等の形態で複数の会場を運営する施設を対象とする、バーコード等の機械読み取りコード付の入場券、会場設置の入場管理処理装置、集計センターとを設けてなる入場者の管理システムに関する。
【０００２】
【従来の技術】
バーコード付の紙券を入場券とした入場者の管理システムは、従来からも、紙券自体が廉価であり、かつ、バーコードを付与することで比較的簡易に管理ができるため良く利用されている。
【０００３】
【発明が解決しようとする課題】
しかし、紙券に盛り込まれる集計単位が単一の場合では、係員がもぎり券である入場券のバーコード部分を入場口にてもぎり、一定時間毎にもぎり券をまとめ上げて、集計所まで持ち運んでいる。そして、集計所では、バーコード・リーダーで読ませて集計するという方式・手順を取っている。
さらに、複数のゲート及び会場が存在する施設で目的とする集計単位が複数存在する場合では、その目的とする集計単位毎にバーコード付のもぎり券を用意する必要があり、そのために事務処理が煩雑になっていた。
また、複数のゲート及び会場が存在する場合に、大・中規模施設が一日に何万人という人数のネット（正味）入場者を受け入れていることに加え、もぎり券がちぎれ若しくはよじれにより不整形となることが多いため、整理等やバーコードリーダーでの読み取りが煩雑になるとの問題がある。
【０００４】
そこで、本発明は、一枚で複数の会場が利用できる入場券であって、もぎり券をもぎらずに済むように入場券を構成して、会場別の入場者数、時間帯別の入場者数計算等の複数の目的に応じた様々な情報の集計・加工に利用でき、また、同じ会場には二度入れないようにする等の条件を付与することのできる入場者管理システムを提供することを目的とする。
【０００５】
【課題を解決するための手段】
本発明の第１の態様は、一枚の入場券で複数の会場が利用でき、各会場への入場者情報を各会場に設けた入場券リーダー・ライターに備えられたＩＣカードに記憶し、前記ＩＣカードを介して前記入場者情報を集計センターで読み込むことで管理・集計する入場者管理システムであって、前記入場券には、各会場に入場する毎にその入場の証拠として穿孔される位置が各会場毎に関連付けられて形成される穿孔部と、少なくとも入場者の属性を示す機械読み取りコードとを設け、前記入場券リーダー・ライターには、前記入場券への穿孔手段と、穿孔された入場券の穿孔の数及び穿孔の位置を検知する検知手段と、前記機械読み取りコードを読み取る機械コード読取手段と、検知手段により検知された穿孔部からの情報、前記機械コード読み取り手段により読み取られた機械読み取りコード、ならびに入場日時等の情報を前記ＩＣカードに記憶させる記憶手段とを設けることにより、集計センターにて各会場からのＩＣカードを読み込み、各ＩＣカードに記憶された入場者情報から各会場毎の入場者数及び入場順位を算出することにより各会場毎の人気度を判別可能としたこと、を特徴とする入場者管理システム。である。
【０００６】
本発明の第２の態様は、第１の態様に記載の入場券処理装置では、入場券に該会場の穿孔位置に穿孔がない場合に前記入場券の予め定められた位置に穿孔する手段と、入場券の予め定められた位置に該会場の穿孔がある場合に警告する手段を有することを特徴とする入場券管理システムである。
【０００７】
【実施例】
以下図面に基づき実施例を説明する。
図１は、本発明の運用方法の概略を示すフローチャートであり、図２は本発明のシステム構成を示す図である。図３は、入場管理処理装置の斜視・模式図である。図４は、入場券の模式図である。図１に処理フローを示すように、まず、入場者が入場券Ａを会場の入場管理処理装置（以下入場券リーダー・ライターとする。）Ｂに挿入する（ステップＳ１）。入場券リーダー・ライターＢは、穿孔部１１を光検知して（ステップＳ２）、穿孔の有無により該会場への入場が可能か否か正当性を判定する。穿孔部１１に孔が有る場合は、該会場の穿孔位置か否かを判断し（ステップＳ３）、該会場の穿孔位置であれば、エラーとし警告を発し（ステップＳ４）、排出する（ステップ８）。そうでなければ、穿孔部１１に孔が全く無い場合と同様に正当と判断し、会場入場順位を示す穿孔の数を検出する（以下この検出した穿孔の数を穿孔フラグとする）。初めての入場であれば、“０“という穿孔フラグを立てる。（ステップＳ５）。
次に、入場券Ａのバーコード１０が読み取られる。さらに、穿孔フラグは、入場券Ａのバーコード１０と共に入場券Ａが挿入されたゲートＮｏ、会場Ｎｏ、入場日時等のデータとともに、入場券リーダー・ライターＢに備えられた記憶手段２６と非接触型ＩＣカード２７に、情報として記録される（ステップＳ６）。そして、再使用防止のために、入場券Ａの該会場を示す所定の位置に穿孔する（ステップＳ７）。処理の終了を告げるランプの点滅とブザー音と共に、入場券Ａが排出される（ステップＳ８）。以上の一連の処理と別に、コンパニオンの交代時等には、入場券リーダー・ライターＢに装着されている情報が記録された非接触型ＩＣカード２７を抜取り、情報が記録されていない非接触型ＩＣカード２７と交換する（ステップＳ９）。
そして、集計センターＣの管理用パーソナル・コンピューター（以下集計センターＰＣとする。）Ｅ接続の非接触型ＩＣカード・リーダー・ライターＤに抜き取った情報が記録された非接触型ＩＣカード２７を挿入する（ステップＳ１０）。集計センターＰＣ  Ｅでは、非接触型ＩＣカード・リーダー・ライターＤより情報が記録された非接触型ＩＣカード２７のデータの読み込み記憶し、その情報加工後に非接触型ＩＣカード・リーダー・ライターＤより情報が記録された非接触型ＩＣカードの情報を消去し、情報が記録されていない非接触型ＩＣカードとする（ステップＳ１１）。集計センターＰＣ  Ｅの画面で必要な帳票を選択し、出力手段のプリンター３３で出力する（ステップＳ１２）。
【０００８】
実施に際し、利用される手段の構成例を以下に示す。
図４に示す入場券Ａには、一部にバーコード１０が設けられ、一枚で複数の会場が利用できるように会場と穿孔位置が関連付けられた複数の穿孔位置を有する穿孔部１１が設けられている。なお、バーコード１０は、大人、学生、子供、団体割引、法人会員割引、等入場者の属性（以下属性コードとする）を示す。発行されるバーコードはユニークに構成しても重複してもよい。
【０００９】
穿孔部１１には、施設の会場毎にその穿孔位置が定められており、入場の正当性が確認されるとそこに穿孔される。またこれにより、会場入場の際に入場券の穿孔の数を検知しその数を穿孔フラグとして入場券リーダー・ライターＢが内蔵する非接触型ＩＣカード２７に記録し、この記録された情報を集計センターにて処理することで、各会場毎に何番目にその会場に来たかが判り、人気度の判断材料とすることができる。
【００１０】
図３に示す入場券リーダー・ライターＢは、制御手段２０、バーコード読取手段２１、光検知手段２２、穿孔手段２３、警告手段２４、時計手段２５、記憶手段２６、内蔵非接触ＩＣ型リーダーライター、非接触型ＩＣカード２７、バッテリー電源２８、表示手段２９を含む。制御手段２０は、入場券リーダー・ライターＢ全体を制御するためのコンピューターから成る。バーコード読取手段２１は、挿入口から取り込まれた入場券Ａのバーコード１０から属性情報を読み取る。光検知手段２２は、入場券Ａの穿孔部１１の穿孔有無とその位置を読み取る。穿孔手段２３は、その会場の入場券Ａの穿孔位置に穿孔がない場合にその位置に穿孔する。警告手段２４は、その会場の入場券Ａの穿孔位置に穿孔がある場合に音・光等の警告を発する。時計手段２５は、入場券Ａに穿孔した時の日時を管理するために備えられる。
記憶手段２６は、ハードディスクやＲＡＭ（ランダム・アクセス・メモリー）等の記憶装置等であって、該会場の入場許可情報等の所定情報等が、外部記憶媒体としての非接触型ＩＣカード２７に対して記憶されると同様な内容が記憶される。このため、仮に、交換した非接触型ＩＣカード２７の記憶内容が、持ち運び中に破損しても、記憶手段２６から破損した記憶内容に対応する内容を再び情報が記録されていない非接触型ＩＣカード２７へ書き込むこともできる。
【００１１】
非接触型ＩＣカード２７は、外部装置と情報の交換を非接触で行う型のＩＣカードである。この非接触型ＩＣカード２７は、コンパニオンの交代時等に定期的に情報が記録された非接触ＩＣカード２７を取り出し、情報が記録していない非接触ＩＣカード２７と交換して、コンパニオンによって集計センターＣに情報が記録された非接触型ＩＣカード２７が持ち込まれる。集計センターＣの非接触型ＩＣカード・リーダー・ライターＤは、各会場から持ち込まれる情報が記録された非接触型ＩＣカード２７のデータを読み取る。集計センターＰＣ  Ｅは、非接触型ＩＣカード・リーダー・ライターＤから入力されたデータを読み込み、記憶手段３２にデータを記録すると共に情報加工して、延べ入場者数、ネット（正味）入場者数、各ゲート毎入場者数、会場毎入場者数等を随時出力手段３３のプリンターから出力する。なお、本実施例では、機械読み取りコードとして、バーコード１０で説明したが、バーコード１０に拘泥されることなく、ＯＣＲ、磁気記録層部品であっても良い。
【００１２】
【発明の効果】
一枚の入場券で複数の会場が利用でき、多数の入場者の入場者情報をリアルタイムで一枚の非接触型ＩＣカードに記憶することができるので、大量のもぎり券を管理するという作業から開放され、入場券のコストを抑えられるとともに、ネット（正味）入場者数、会場別・時間帯別の入場者数等の施設側が必要とする様々な状況・目的に応じた情報を確実に管理・集計でき、係員等の人員配置、ゲート封鎖ができる。また、同じ会場には二度入場できないようにする等の条件を付与することができる。さらに、穿孔フラグ数と入場券の穿孔の数を検知することで各会場毎に何番目にその会場に来たかが判り、会場毎の人気度の判断材料となる。
【図面の簡単な説明】
【図１】本発明の概略の運用を示すフローチャートである。
【図２】本発明のシステム構成を示すブロック図である。
【図３】入場券リーダー・ライターの斜視・模式図である。
【図４】入場券の模式図である。
【符号の説明】
Ａ          入場券
Ｂ          入場券リーダー・ライター（各会場）
Ｃ          集計センター
Ｄ          非接触型ＩＣカード・リーダー・ライター（集計センター）
Ｅ          パーソナル・コンピューター（集計センターＰＣ）
１０        機械読み取りコード（バーコード） (入場券）
１１        穿孔部（入場券）
２０        制御手段 （入場券リーダー・ライター）
２１        バーコード読取手段（入場券リーダー・ライター）
２２        光検知手段（入場券リーダー・ライター）
２３        穿孔手段（入場券リーダー・ライター）
２４        警告手段（入場券リーダー・ライター）
２５        時計手段（入場券リーダー・ライター）
２６        記憶手段（入場券リーダー・ライター）
２７        非接触型ＩＣカード
２８        バッテリー電源（入場券リーダー・ライター）
２９        表示手段（入場券リーダー・ライター）
３０        制御手段（集計センターＰＣ）
３１        入力手段（集計センターＰＣ）
３２        記憶手段（集計センターＰＣ）
３３        出力手段（プリンター）（集計センターＰＣ）
【図１】
0003765859.tif 000002
【図２】
0003765859.tif 000003
【図３】
0003765859.tif 000004
【図４】
0003765859.tif 000005